(57)【要約】【課題】発泡プラスチック製の板状断熱材を用いた建物の壁の断熱施工を、より容易且つ適切になせるようにする。【解決手段】柱Ｐ間に充填される発泡プラスチック製の板状断熱材Ｆを、左側構成材１と右側構成材２とに分割すると共に、両構成材１、２の突き合わせ端面１ａ、２ａをそれぞれ壁の厚さ方向に対して斜めに交叉する面とし、前記両構成材１、２の一方を設置した後、残された空間ｙへの前記構成材Ｆ’の他方の詰め込みをなす。【選択図】図４
2015078530.tif 000002
【特許請求の範囲】
【請求項１】
柱間に充填される発泡プラスチック製の板状断熱材を、左側構成材と右側構成材とに分割すると共に、両構成材の突き合わせ端面をそれぞれ壁の厚さ方向に対して斜めに交叉する面とし、
前記両構成材の一方を設置した後、残された空間への前記構成材の他方の詰め込みをなすことを特徴とする壁の断熱施工方法。
【請求項２】
柱間に充填される発泡プラスチック製の板状断熱材を、壁一面側構成材と壁他面側構成材とに分割すると共に、
この壁一面側構成材と壁他面側構成材とをそれぞれ、左側構成材と右側構成材とに分割し、且つ、この左側構成材及び右側構成材の突き合わせ端面をそれぞれ壁の厚さ方向に対して斜めに交叉する面とし、
前記壁一面側構成材と壁他面側構成材とをそれぞれ、前記左側構成材及び右側構成材の一方を設置した後、残された空間への前記左側構成材及び右側構成材の他方の詰め込みにより前記柱間に充填すると共に、
この充填を、前記壁一面側構成材を構成する前記左側構成材と右側構成材との突き合わせ箇所に対し、前記壁他面側構成材を構成する前記左側構成材と右側構成材との突き合わせ箇所が右側又は左側に位置するようになすことを特徴とする壁の断熱施工方法。
【請求項３】
壁一面側構成材における左側構成材及び右側構成材の一方は第一広幅構成材であり、これらの他方は第一狭幅構成材であり、
壁他面側構成材における左側構成材及び右側構成材の一方は第二広幅構成材であり、これらの他方は第二狭幅構成材であり、
先ず、第一広幅構成材を設置し、
次いで、第一狭幅構成材を設置し、
次いで、前記第一広幅構成材に第二狭幅構成材を重ねて設置し、
最後に、第二広幅構成材を設置することを特徴とする請求項２に記載の壁の断熱施工方法。
【発明の詳細な説明】
【技術分野】
【０００１】
この発明は、発泡プラスチック製の板状断熱材を用いた建物の壁の断熱施工方法の改良に関する。
【背景技術】
【０００２】
発泡プラスチック製の断熱材は、形状安定性が高く、また、耐水性が高く、変質し難い特長がある。こうしたことから、この種の断熱材は壁の断熱施工に広く用いられている。典型的には、かかる断熱施工は、板状をなすこの種の断熱材を、壁を構成する隣り合う柱間（柱と柱間、柱と間柱間、間柱と間柱間）の距離と等しい左右寸法にして用意し、これを隣り合う柱間に張り込むことでなされる。
【０００３】
しかるに、この種の発泡プラスチック製の断熱材は、前記のように形状安定性が高いため、隣り合う柱間の距離と断熱材の左右寸法とが一致しない場合、具体的には、断熱材の左右寸法が数ミリ大きいだけでもこの断熱材は柱間に押し込み不能となるか、あるいは、かかる押し込みに過大な力を要させる。これとは逆に、隣り合う柱間の距離よりも断熱材の左右寸法が数ミリ小さい場合でも、発泡プラスチック製の断熱材は繊維系の断熱材のようにフレキシブルでないため、柱との間に隙間Ｓ（図１０参照／図中符号Ｆは断熱材を、符号Ｍは壁下地材を示す。）なく断熱材を張り込むことができない。こうした隙間Ｓは、熱橋の原因となり壁の断熱性能を低下させる。
【発明の概要】
【発明が解決しようとする課題】
【０００４】
この発明が解決しようとする主たる問題点は、発泡プラスチック製の板状断熱材を用いた建物の壁の断熱施工を、より容易且つ適切になせるようにする点にある。
【課題を解決するための手段】
【０００５】
前記課題を達成するために、この発明にあっては第一の観点から、壁の断熱施工方法を、柱間に充填される発泡プラスチック製の板状断熱材を、左側構成材と右側構成材とに分割すると共に、両構成材の突き合わせ端面をそれぞれ壁の厚さ方向に対して斜めに交叉する面とし、
前記両構成材の一方を設置した後、残された空間への前記構成材の他方の詰め込みをなすものとした。
【０００６】
すなわち、壁を構成する隣り合う柱間に、前記両構成材の一方を他方に先行して設置する。先行して設置される構成材は、その突き合わせ端面と反対の端面を隣り合う柱の一方に突き当て、かつ、この突き合わせ端面が後続で設置される構成材の導入側に向けられる向きで設置される。次いで、先行して設置された構成材と隣り合う柱の他方との間に残された空間に、先行して設置された構成材の突き合わせ端面に後続で設置される構成材の突き合わせ端面を向き合わせた状態で後続で設置される構成材を詰め込む。突き合わせ端面は前記のように壁の厚さ方向に対して斜めに交叉する面となっていることから、隣り合う柱間の距離が板状断熱材の左右寸法よりも小さい場合であっても、左右の構成材の突き合わせ箇所にやや段差を形成させた状態で隣り合う柱間に板状断熱材を適切に、つまり、隣り合う柱間に隙間なく板状断熱材を張り込むことができる。
【０００７】
また、前記課題を達成するために、この発明にあっては第二の観点から、壁の断熱施工方法を、
柱間に充填される発泡プラスチック製の板状断熱材を、壁一面側構成材と壁他面側構成材とに分割すると共に、
この壁一面側構成材と壁他面側構成材とをそれぞれ、左側構成材と右側構成材とに分割し、且つ、この左側構成材及び右側構成材の突き合わせ端面をそれぞれ壁の厚さ方向に対して斜めに交叉する面とし、
前記壁一面側構成材と壁他面側構成材とをそれぞれ、前記左側構成材及び右側構成材の一方を設置した後、残された空間への前記左側構成材及び右側構成材の他方の詰め込みにより前記柱間に充填すると共に、
この充填を、前記壁一面側構成材を構成する前記左側構成材と右側構成材との突き合わせ箇所に対し、前記壁他面側構成材を構成する前記左側構成材と右側構成材との突き合わせ箇所が右側又は左側に位置するようになすものとした。
【０００８】
この第二の観点にかかる断熱施工方法においては、さらに、前記壁一面側構成材における左側構成材及び右側構成材の一方を第一広幅構成材とし、これらの他方を第一狭幅構成材とすると共に、
前記壁他面側構成材における左側構成材及び右側構成材の一方を第二広幅構成材とし、これらの他方を第二狭幅構成材とし、
先ず、第一広幅構成材を設置し、
次いで、第一狭幅構成材を設置し、
次いで、前記第一広幅構成材に第二狭幅構成材を重ねて設置し、
最後に、第二広幅構成材を設置することが、好ましい態様の一つとされる。
【０００９】
かかる第二の観点にかかる断熱施工方法によれば、第一に、隣り合う柱間の距離が板状断熱材を構成する壁一面側構成材及び壁他面側構成材の左右寸法よりも小さい場合であっても、壁一面側構成材及び壁他面側構成材のそれぞれにおいて左右の構成材の突き合わせ箇所にやや段差を形成させた状態で、隣り合う柱間に四つの構成材からなる板状断熱材を適切に張り込むことができる。また、第二に、隣り合う柱間の距離が板状断熱材を構成する壁一面側構成材及び壁他面側構成材の左右寸法よりもやや大きい場合には、壁一面側構成材における左側構成材と右側構成材との突き合わせ箇所と、壁他面側構成材における左側構成材と右側構成材との突き合わせ箇所とを同じ位置に位置させないようにした態様で、隣り合う柱間に四つの構成材からなる板状断熱材を張り込むことができる。隣り合う柱間の距離が板状断熱材を構成する壁一面側構成材及び壁他面側構成材の左右寸法よりもやや大きい場合に、壁一面側構成材の前記突き合わせ箇所と壁他面側構成材の前記突き合わせ箇所とが同じ位置に位置されてしまうと、この突き合わせ箇所に熱橋が生じるおそれがあるが、四つの構成材を前記のように設置するようにすれば、このような熱橋の発生を防止可能となる。
【発明の効果】
【００１０】
この発明によれば、発泡プラスチック製の板状断熱材を用いた建物の壁の断熱施工を、より容易且つ適切になすことができる。
【図面の簡単な説明】
【００１１】
【図１】図１は実施の形態にかかる断熱施工方法に用いる板状断熱材の一例を示した斜視図である。
【図２】図２は断熱施工前の壁構成体の水平断面構成図である。
【図３】図３は断熱施工後の壁構成体の水平断面構成図である。
【図４】図４は断熱施工後の壁構成体の水平断面構成図である。
【図５】図５は断熱施工後の壁構成体の水平断面構成図であり、図１と異なる構成の板状断熱材を用いた好適な施工例を示している。
【図６】図６は断熱施工後の壁構成体の水平断面構成図であり、図５と同様の板状断熱材を用いた好適な施工例を示している。
【図７】図７は断熱施工後の壁構成体の水平断面構成図であり、図５と同様の板状断熱材を用いた好適でない施工例を示している。
【図８】図８は断熱施工後の壁構成体の要部正面構成図であり、図５と同様の板状断熱材を用いた場合のこれの上方空間への板状断熱材の張り込み例を示している。
【図９】図９は図８の断熱施工により構成された壁の要部断面構成図である。
【図１０】図１０は隣り合う柱間の距離が板状断熱材より大きい場合の不都合を示した水平断面構成図である。
【発明を実施するための形態】
【００１２】
以下、図１〜図９に基づいて、この発明の典型的な実施の形態について、説明する。この実施の形態にかかる壁の断熱施工方法は、隣り合う柱Ｐ、Ｐ間への発泡プラスチック製の板状断熱材Ｆの充填による建物の壁の断熱施工を、容易且つ適切になせるようにするものである。かかる発泡プラスチック製の板状断熱材Ｆは、典型的には、フェノールフォーム、ポリエチレンフォーム、スチレンフォーム（スチレンボード）ポリウレタンフォーム（ウレタンボード）、ポリイソシアヌレートフォーム、塩化ビニールフォーム、ポリスチレンフォーム、ユリアフォーム等の合成樹脂発泡体から構成される。このうち、フェノールフォームは、高い耐燃焼性を有しており、火炎が作用したとき、表面が炭化するのみで着火や溶解がなく、有毒性ガスの発生もないことから、建物の壁の断熱材の構成材料として最適である。
【００１３】
先ず、かかる断熱施工方法の概要を図１〜図４に基づいて説明する。かかる断熱施工方法は、前記板状断熱材Ｆを、二つの構成材Ｆ’、Ｆ’、ここでは左側構成材１と右側構成材２とに分割すると共に、両構成材１、２の突き合わせ端面１ａ、２ａをそれぞれ壁の厚さ方向に対して斜めに交叉する面とし、隣り合う柱Ｐ、Ｐ間に前記両構成材１、２の一方を設置した後、両構成材１、２を前記突き合わせ端面１ａ、２ａにおいて突き合わせながら残された空間ｙへの前記両構成材１、２の他方の詰め込みをなすものである。すなわち、この前記両構成材１、２の他方は、前記残された空間ｙに対しいわばくさびの様に詰め込まれる。
【００１４】
前記板状断熱材Ｆは、壁を構成する隣り合う柱Ｐ、Ｐ間の距離と同一か、これよりもやや大きい左右寸法を持ち、その一面を室外側Ｅに向け、その他面を室内側に向けるようにして隣り合う柱Ｐ、Ｐ間に設置されるものである。典型的には、このように構成される板状断熱材Ｆに対しその上下方向に沿った切断を施し、この板状断熱材Ｆを前記左側構成材１と右側構成材２とに分割する。そして、この切断により前記左側構成材１及び右側構成材２がそれぞれ、前記突き合わせ端面１ａ、２ａを備えるようにする。
【００１５】
図示の例では、左側構成材１の左右寸法と右側構成材２の左右寸法とは異なるようになっている。図１に示される例では、左側構成材１は壁下地材Ｍに接する外面１ｂ（設置時に室外側Ｅに向けられる面）と突き合わせ端面１ａとの間に鋭角ａを形成すると共に、その内面１ｃ（設置時に室内側に向けられる面）との突き合わせ端面１ａとの間に鈍角ａ’を形成するものとなっている。（図３）一方、右側構成材２はその外面２ｂと突き合わせ端面２ａとの間に鈍角ｂを形成すると共に、その内面２ｃとの突き合わせ端面２ａとの間に鋭角ｂ’を形成するものとなっている。（図３）すなわち、左側構成材１及び右側構成材２の突き合わせ端面１ａ、２ａはそれぞれ壁の厚さ方向に対して斜めに交叉する面となっている。
【００１６】
先ず、壁を構成する隣り合う柱Ｐ、Ｐ間に、前記両構成材１、２の一方を他方に先行して設置する。先行して設置される構成材Ｆ’、ここでは左側構成材１は、その突き合わせ端面１ａと反対の端面を隣り合う柱Ｐ、Ｐの一方に突き当て、かつ、この突き合わせ端面１ａが後続で設置される構成材Ｆ’、ここでは右側構成材２の導入側ｘに向けられる向きで設置される。次いで、先行して設置された構成材Ｆ’としての左側構成材１と隣り合う柱Ｐ、Ｐの他方との間に残された空間ｙに、その突き合わせ端面１ａに後続で設置される構成材Ｆ’としての右側構成材２の突き合わせ端面２ａを向き合わせた状態でこの右側構成材２を詰め込む。突き合わせ端面１ａ、２ａは前記のように壁の厚さ方向に対して斜めに交叉する面となっていることから、隣り合う柱Ｐ、Ｐ間の距離が板状断熱材Ｆの左右寸法よりも小さい場合であっても、左右の構成材Ｆ’、Ｆ’の突き合わせ箇所にやや段差ｚを形成させた状態で隣り合う柱Ｐ、Ｐ間に板状断熱材Ｆを適切に張り込むことができる。（図４）
【００１７】
図示の例では、柱Ｐと壁下地材Ｍとにより形成された室内側に開放された空間に、この室内側から構成材Ｆ’を導入するようになっている。図１に示される例では、左側構成材１を前記空間に室内側から導入設置した後、この左側構成材１の右側に残された空間ｙに右側構成材２を室内側から詰め込んで隣り合う柱Ｐ、Ｐ間に板状断熱材Ｆを張り込んでいる。隣り合う柱Ｐ、Ｐ間の距離が板状断熱材Ｆの左右寸法と等しければ左側構成材１の内面１ｃと右側構成材２の内面２ｃとは面一となる。（図３）隣り合う柱Ｐ、Ｐ間の距離が板状断熱材Ｆの左右寸法よりも狭い場合は左側構成材１の内面１ｃよりも右側構成材２の内面２ｃが室内側に位置され、両構成材１、２の突き合わせ箇所には段差ｚが形成される。（図４）
【００１８】
図５は、柱Ｐ間に充填される前記板状断熱材Ｆを、壁一面側構成材３と壁他面側構成材４とに分割すると共に、この壁一面側構成材３と壁他面側構成材４とをそれぞれ、左側構成材３０、４０と右側構成材３１、４１とに分割し、且つ、この左側構成材３０、４０及び右側構成材３１、４１の突き合わせ端面３０ａ、３１ａ、４０ａ、４１ａをそれぞれ壁の厚さ方向に対して斜めに交叉する面とした例を示している。図５の例では、壁一面側構成材３及び壁他面側構成材４はそれぞれ、図１の構成材１、２の約半分の厚さでを持つものとなっている。そして、この図５に示される例では、前記壁一面側構成材３と壁他面側構成材４とをそれぞれ、柱Ｐ間に、前記左側構成材３０、４０及び右側構成材３１、４１の一方を設置した後、残された空間ｙへの前記左側構成材３０、４０及び右側構成材３１、４１の他方の詰め込みにより前記柱Ｐ間に充填すると共に、この充填を、前記壁一面側構成材３を構成する前記左側構成材３０と右側構成材３１との突き合わせ箇所に対し、前記壁他面側構成材４を構成する前記左側構成材４０と右側構成材４１との突き合わせ箇所が右側又は左側に位置するようになしている。
【００１９】
このようにした場合、第一に、隣り合う柱Ｐ、Ｐ間の距離が板状断熱材Ｆを構成する壁一面側構成材３及び壁他面側構成材４の左右寸法よりも小さい場合であっても、壁一面側構成材３及び壁他面側構成材４のそれぞれにおいて左右の構成材Ｆ’、Ｆ’の突き合わせ箇所にやや段差ｚを形成させた状態で、隣り合う柱Ｐ、Ｐ間に四つの構成材Ｆ’…Ｆ’からなる板状断熱材Ｆを適切に張り込むことができる。（図６）また、第二に、隣り合う柱Ｐ、Ｐ間の距離が板状断熱材Ｆを構成する壁一面側構成材３及び壁他面側構成材４の左右寸法よりもやや大きい場合でも、壁一面側構成材３における左側構成材３０と右側構成材３１との突き合わせ箇所と、壁他面側構成材４における左側構成材４０と右側構成材４１との突き合わせ箇所とを同じ位置に位置させないようにした態様で、隣り合う柱Ｐ、Ｐ間に四つの構成材Ｆ’…Ｆ’からなる板状断熱材Ｆを張り込むことができる。（図５）隣り合う柱Ｐ、Ｐ間の距離が板状断熱材Ｆを構成する壁一面側構成材３及び壁他面側構成材４の左右寸法よりもやや大きい場合に、壁一面側構成材３の前記突き合わせ箇所と壁他面側構成材４の前記突き合わせ箇所とが同じ位置に位置されてしまうと、この突き合わせ箇所に熱橋が生じるおそれがあるが、四つの構成材Ｆ’…Ｆ’を前記のように設置するようにすれば、このような熱橋の発生を防止可能となる。
【００２０】
また、この図５に示される例にあっては、前記壁一面側構成材３における左側構成材３０及び右側構成材３１の一方は第一広幅構成材３２であり、これらの他方は左右方向の寸法を前記第一広幅構成材３２よりも小さくした第一狭幅構成材３３であり、それと共に、前記壁他面側構成材４における左側構成材３０及び右側構成材３１の一方は第二広幅構成材４２であり、これらの他方は左右方向の寸法を前記第二広幅構成材４２よりも小さくした第二狭幅構成材４３である。そして、この図５に示される例にあっては、先ず、前記第一広幅構成材３２を設置し、次いで、前記第一狭幅構成材３３を設置し、次いで、前記第一広幅構成材３２に第二狭幅構成材４３を重ねて設置し、最後に、第二広幅構成材４２を設置して、隣り合う柱Ｐ、Ｐ間への板状断熱材Ｆの張り込みをなしている。なお、この図５に示される例でも、柱Ｐと壁下地材Ｍとにより形成された室内側に開放された空間に、この室内側から構成材Ｆ’を導入するようになっている。隣り合う柱Ｐ、Ｐ間の距離が板状断熱材Ｆの左右寸法よりも狭い場合に、第一狭幅構成材３３の設置後、この第一狭幅構成材３３に第二広幅構成材４２を重ねて設置し、最後にこの第二広幅構成材４２と柱Ｐとの間に第二狭幅構成材４３を詰め込むと、第一広幅構成材３２と第二広幅構成材４２との間にはすでに第一広幅構成材３２と第一狭幅構成材３３との間に形成される段差ｚ分の間隔Ｓ１が形成されていることから、第一広幅構成材３２と第二狭幅構成材４３との間の間隔Ｓ２をより大きくさせてしまう。（図７）第一狭幅構成材３３の設置後、第一広幅構成材３２に第二狭幅構成材４３を重ねて設置し、最後にこの第二狭幅構成材４３と柱Ｐとの間に第二広幅構成材４２を詰め込むようにすれば、第一広幅構成材３２と第二狭幅構成材４３との間の間隔を零にすることができるので、第一広幅構成材３２と第二広幅構成材４２との間の間隔Ｓ３を第一広幅構成材３２と第一狭幅構成材３３との間に形成される段差ｚ分の間隔にとどめさせることができる。（図６）
【００２１】
隣り合う柱Ｐ、Ｐ間に以上に説明したように板状断熱材Ｆを張り込んだ場合、張り込まれた板状断熱材Ｆの上端と横架材との間に残された上方空間ｙ’にさらに板状断熱材Ｆを張り込むことで、壁の上下方向に亘る断熱施工をなすことが可能とされる。（図８、図９）
【００２２】
図８に示される例では、前記上方空間ｙ’に張り込まれる板状断熱材Ｆａも、壁一面側構成材５と壁他面側構成材６とに分割されると共に、この壁一面側構成材５と壁他面側構成材６とをそれぞれ、上側構成材５０、６０と下側構成材５１、６１とに分割し、且つ、この上側構成材５０、６０及び下側構成材５１、６１の突き合わせ端面５０ａ、５１ａ、６０ａ、６１ａをそれぞれ壁の厚さ方向に対して斜めに交叉する面としている。このようにした場合、前記上方空間ｙ’の高さ寸法がこの上方空間ｙ’に張り込まれる板状断熱材Ｆａの上下寸法よりもやや大きくても壁一面側構成材５と壁他面側構成材６のそれぞれにおいて、上側構成材５０、６０と下側構成材５１、６１との突き合わせ箇所に段差を生じさせることで、この上方空間ｙ’に四つの構成材Ｆ’…Ｆ’からなる板状断熱材Ｆを適切に張り込むことができる。（図９）具体的には、上方空間ｙ’内に壁一面側構成材５の下側構成材５１をその突き合わせ端面５１ａを室内側に向けて配した後、この突き合わせ端面５１ａに突き合わせ端面５０ａを向き合わせる向きでこの下側構成材５１の上方に残された空間に壁一面側構成材５の上側構成材５０を詰め込み、次いで、この壁一面側構成材５の室内側において前記上方空間ｙ’内に壁他面側構成材６の下側構成材６１をその突き合わせ端面６１ａを室内側に向けて配した後、この突き合わせ端面６１ａに突き合わせ端面６０ａを向き合わせる向きでこの下側構成材６１の上方に残された空間に壁他面側構成材６の上側構成材６０を詰め込む。図８及び図９に示される例では、室外側Ｅに配される壁一面側構成材５における上側構成材５０と下側構成材５１との突き合わせ箇所と、室内側に配される壁他面側構成材６における上側構成材６０と下側構成材６１との突き合わせ箇所とが同じレベルに位置しないようになっており、この上方空間ｙ’においても熱橋の発生の可及的防止が図られている。なお、図９中、符号Ｍ’は室内側に張り込まれて壁の一部を構成する板材である。
【符号の説明】
【００２３】
Ｐ  柱
Ｆ  板状断熱材
１  左側構成材
１ａ  突き合わせ端面
２  右側構成材
２ａ  突き合わせ端面
【図１】
2015078530.tif 000003
【図２】
2015078530.tif 000004
【図３】
2015078530.tif 000005
【図４】
2015078530.tif 000006
【図５】
2015078530.tif 000007
【図６】
2015078530.tif 000008
【図７】
2015078530.tif 000009
【図８】
2015078530.tif 000010
【図９】
2015078530.tif 000011
【図１０】
2015078530.tif 000012